(57)【特許請求の範囲】
【請求項１】
被処理物を収容しインナーケース蓋（３）によって開閉されるインナーケース（４）と、前記インナーケースを内部に収容し断熱壁（２）で構成される収納体と、前記収納体を開閉する断熱蓋（１）とを炉体（６）内に有する熱処理炉であって、
断熱蓋とインナーケース蓋を一体で開閉する蓋開閉機構（１０）を備え、
該蓋開閉機構（１０）は、前記炉体に固定され、前記収納体を閉じる方向および開く方向に前記断熱蓋を移動させ、前記収納体に対し断熱蓋（１）を開閉する蓋開閉用シリンダ（５）を有し、
前記蓋開閉用シリンダは、前記断熱蓋に対し相対移動不可能に前記断熱蓋の外面に連結された先端部を有し、
インナーケース蓋が断熱蓋と相対的に動きうるように伸縮可能なスプリング（１２）を介して取り付けられており、
前記断熱蓋を貫通してその一端が前記インナーケース蓋に連結された蓋押しロッド（１４）が設けられ、
前記スプリング（１２）は、前記蓋押しロッド（１４）の他端と前記先端部との間に位置し、前記収納体が前記断熱蓋で閉じられた状態で、前記他端と該先端部とに挟まれて圧縮されこれらを互いに離間する方向に付勢する、ことを特徴とするインナーケース付き熱処理炉。
【請求項２】
被処理物を収容しインナーケース蓋（３）によって開閉されるインナーケース（４）と、前記インナーケースを内部に収容し断熱壁（２）で構成される収納体と、前記収納体を開閉する断熱蓋（１）とを炉体（６）内に有する熱処理炉であって、
断熱蓋とインナーケース蓋を一体で開閉する蓋開閉機構（１０）を備え、
該蓋開閉機構（１０）は、前記炉体に固定され、前記収納体を閉じる方向および開く方向に前記断熱蓋を移動させ、前記収納体に対し断熱蓋（１）を開閉する蓋開閉用シリンダ（５）を有し、
前記蓋開閉用シリンダは、前記断熱蓋に対し相対移動不可能に前記断熱蓋の外面に連結された先端部を有し、
インナーケース蓋が断熱蓋と相対的に動きうるように伸縮可能なスプリング（１２）を介して取り付けられており、
前記断熱蓋は前記インナーケース蓋に対向する対向面を有し、前記インナーケース蓋は前記断熱蓋に対向する対向面を有し、
前記スプリング（１２）は、インナーケース蓋の前記対向面と断熱蓋の前記対向面との間に位置し、前記収納体が前記断熱蓋で閉じられた状態で、断熱蓋とインナーケース蓋とをこれらを互いに離間する方向に付勢する、ことを特徴とするインナーケース付き熱処理炉。
【請求項３】
被処理物を収容しインナーケース蓋（３）によって開閉されるインナーケース（４）と、前記インナーケースを内部に収容し断熱壁（２）で構成される収納体と、前記収納体を開閉する断熱蓋（１）とを炉体（６）内に有する熱処理炉であって、
断熱蓋とインナーケース蓋を一体で開閉する蓋開閉機構（１０）を備え、
該蓋開閉機構（１０）は、前記炉体に固定され、前記収納体を閉じる方向および開く方向に前記断熱蓋を移動させ、前記収納体に対し断熱蓋（１）を開閉する蓋開閉用シリンダ（５）を有し、
前記蓋開閉用シリンダは、前記断熱蓋に対し相対移動不可能に前記断熱蓋の外面に連結された先端部を有し、
インナーケース蓋が断熱蓋と相対的に動きうるように伸縮可能なスプリング（１２）を介して取り付けられており、
前記断熱蓋を貫通してその一端が前記インナーケース蓋に連結された蓋押しロッド（１４）が設けられ、
前記スプリング（１２）は、前記蓋押しロッド（１４）の他端と前記先端部との間に位置し、前記収納体が前記断熱蓋で閉じられた状態で、前記他端と該先端部とに挟まれて圧縮されこれらを互いに離間する方向に付勢し、
前記断熱蓋における前記インナーケース蓋との対向面には、支持リングが取り付けられており、
該支持リングは、前記対向面から前記断熱蓋の厚み方向に前記インナーケース蓋側に向かって延びることで該厚み方向の厚みを有し、かつ周方向に延びて１周するリング形状を有し、
前記インナーケース蓋における前記断熱蓋との対向面には、突出部が設けられており、
該突出部は、インナーケース蓋の前記対向面から前記インナーケース蓋の厚み方向に前記断熱蓋に向かって突出しているとともに、インナーケース蓋の断熱蓋に対する相対移動をガイドし前記インナーケース蓋の重量が前記支持リングに支持されるように前記支持リングと係合する、ことを特徴とするインナーケース付き熱処理炉。
【請求項４】
被処理物を収容しインナーケース蓋（３）によって開閉されるインナーケース（４）と、前記インナーケースを内部に収容し断熱壁（２）で構成される収納体と、前記収納体を開閉する断熱蓋（１）とを炉体（６）内に有する熱処理炉であって、
断熱蓋とインナーケース蓋を一体で開閉する蓋開閉機構（１０）を備え、
インナーケース蓋が断熱蓋と相対的に動きうるように伸縮可能なスプリング（１２）を介して取り付けられており、
前記断熱蓋は前記インナーケース蓋に対向する対向面を有し、前記インナーケース蓋は前記断熱蓋に対向する対向面を有し、
前記スプリング（１２）は、インナーケース蓋の前記対向面と断熱蓋の前記対向面との間に位置し、前記収納体が前記断熱蓋で閉じられた状態で、断熱蓋とインナーケース蓋とをこれらを互いに離間する方向に付勢し、
前記断熱蓋の前記対向面には、支持リングが取り付けられており、
該支持リングは、前記断熱蓋の前記対向面から前記断熱蓋の厚み方向に前記インナーケース蓋側に向かって延びることで該厚み方向の厚みを有し、かつ周方向に延びて１周するリング形状を有し、
前記インナーケース蓋の前記対向面には、突出部が設けられており、
該突出部は、インナーケース蓋の前記対向面から前記インナーケース蓋の厚み方向に前記断熱蓋に向かって突出しているとともに、インナーケース蓋の断熱蓋に対する相対移動をガイドし前記インナーケース蓋の重量が前記支持リングに支持されるように前記支持リングと係合する、ことを特徴とするインナーケース付き熱処理炉。
【請求項５】
前記突出部は、前記支持リングの外周面と対向する内側面を有し、該内側面が前記外周面に接触することで、前記突出部は前記支持リングと係合する、ことを特徴とする請求項３または４に記載のインナーケース付き熱処理炉。
【発明の詳細な説明】
【０００１】
【発明の属する技術分野】
本発明は、インナーケースで発生するガスによる汚染を防止するためのインナーケース付き熱処理炉に関する。
【０００２】
【従来の技術】
金属、セラミックス、磁性材、炭素材、複合材などの焼結や焼成熱処理を行うために内部にインナーケースを備えた熱処理炉が用いられる。かかるインナーケースは、処理材原料、成型用の結合材、潤滑剤、ワックス分、または焼結助剤などから発生するガス成分による、処理品の汚染、炉材の汚染や消耗を防止または低減するために用いられる。
【０００３】
図５は従来構造図であり、（Ａ）は室温時、（Ｂ）は高温加熱時を示している。この図に示すとおり、従来のインナーケース付き熱処理炉は、断熱蓋１とインナーケース蓋３が一体構造のものである。この場合、インナーケース４内のガスの漏れ防止のためにはインナーケース蓋３を密着させ、かつ、加熱室内の漏熱防止のために断熱蓋１を密着させる必要があるが、組立寸法誤差があるため、両者をきちっと密着することが難しい。
また、炉を加熱したとき、断熱壁２とインナーケース４の熱膨張量が異なるため、（Ｂ）に示すように、インナーケース蓋３と断熱蓋１のいずれかで隙間ができる問題がある。例えば、インナーケース側を密着させれば、断熱壁側は隙間を許容する必要がある。この場合、断熱蓋部に隙間ができるので熱損失の増大、温度分布の悪化等の問題が発生する。
また、断熱壁側を密着させ、インナーケース側に隙間を許容すれば、処理材から発生するガス分がインナーケース４の外に漏れる。漏れたガスは、ヒータ、断熱材、絶縁材、炉体壁面などに付着し、処理材の品質悪化、炉材の消耗促進、絶縁劣化などの問題を生じる。なお、図５において、５は蓋開閉用シリンダである。
【０００４】
上述した問題を解決するために、実用新案登録第２５０３５９６号、実公平６−４８３１５号、等が従来から提案されている。
実用新案登録第２５０３５９６号は、断熱蓋と断熱壁端面に断熱フェルトを取り付けクッションとする構造のものである。また、実公平６−４８３１５号は、断熱蓋の開閉機構とインナーケース蓋の開閉機構を別々に設けたものである。
【０００５】
【発明が解決しようとする課題】
しかし、実用新案登録第２５０３５９６号の「焼成炉」では、フェルトの変位吸収の定量的な設計（変位と反力）が困難であり、信頼性が低くかつ当たり面でのフェルトの消耗が激しく寿命が短い問題がある。
また、実公平６−４８３１５号の「真空熱処理炉」では、２つの開閉機構のためにシリンダが二重に必要であり、炉蓋と炉内構造が複雑となる。また炉体蓋に冷却ファン及びファンモータを設置することが困難となる。設備コストの増加、制御機構の複雑さにより作動の信頼性が低下する。断熱蓋をインナーケース蓋の駆動軸が貫通するので、熱漏れ増加が避けられない。また、貫通軸まわりの断熱材が損耗しやすい、貫通軸が高熱により損傷しやすい、等の問題がある。
【０００６】
本発明は、上述した種々の問題点を解決するために創案されたものである。すなわち、本発明の目的は、断熱壁とインナーケースの製作時の寸法誤差や、加熱時の熱膨張による寸法変化があっても、インナーケース蓋と断熱蓋がそれぞれインナーケースと断熱壁の端面に常に密着することができ、かつ余分な開閉機構を必要とせず、高温に曝されて損傷しやすい部品がなく、信頼性が高いインナーケース付き熱処理炉を提供することにある。
【０００７】
【課題を解決するための手段】
本発明によれば、被処理物を収容しインナーケース蓋（３）によって開閉されるインナーケース（４）と、前記インナーケースを内部に収容し断熱壁（２）で構成される収納体と、前記収納体を開閉する断熱蓋（１）とを炉体（６）内に有する熱処理炉であって、
断熱蓋とインナーケース蓋を一体で開閉する蓋開閉機構（１０）を備え、
該蓋開閉機構（１０）は、前記炉体に固定され、前記収納体を閉じる方向および開く方向に前記断熱蓋を移動させ、前記収納体に対し断熱蓋（１）を開閉する蓋開閉用シリンダ（５）を有し、
前記蓋開閉用シリンダは、前記断熱蓋に対し相対移動不可能に前記断熱蓋の外面に連結された先端部を有し、
インナーケース蓋が断熱蓋と相対的に動きうるように伸縮可能なスプリング（１２）を介して取り付けられており、
前記断熱蓋を貫通してその一端が前記インナーケース蓋に連結された蓋押しロッド（１４）が設けられ、
前記スプリング（１２）は、前記蓋押しロッド（１４）の他端と前記先端部との間に位置し、前記収納体が前記断熱蓋で閉じられた状態で、前記他端と該先端部とに挟まれて圧縮されこれらを互いに離間する方向に付勢する、ことを特徴とするインナーケース付き熱処理炉が提供される。
また、本発明によれば、被処理物を収容しインナーケース蓋（３）によって開閉されるインナーケース（４）と、前記インナーケースを内部に収容し断熱壁（２）で構成される収納体と、前記収納体を開閉する断熱蓋（１）とを炉体（６）内に有する熱処理炉であって、
断熱蓋とインナーケース蓋を一体で開閉する蓋開閉機構（１０）を備え、
該蓋開閉機構（１０）は、前記炉体に固定され、前記収納体を閉じる方向および開く方向に前記断熱蓋を移動させ、前記収納体に対し断熱蓋（１）を開閉する蓋開閉用シリンダ（５）を有し、
前記蓋開閉用シリンダは、前記断熱蓋に対し相対移動不可能に前記断熱蓋の外面に連結された先端部を有し、
インナーケース蓋が断熱蓋と相対的に動きうるように伸縮可能なスプリング（１２）を介して取り付けられており、
前記断熱蓋は前記インナーケース蓋に対向する対向面を有し、前記インナーケース蓋は前記断熱蓋に対向する対向面を有し、
前記スプリング（１２）は、インナーケース蓋の前記対向面と断熱蓋の前記対向面との間に位置し、前記収納体が前記断熱蓋で閉じられた状態で、断熱蓋とインナーケース蓋とをこれらを互いに離間する方向に付勢する、ことを特徴とするインナーケース付き熱処理炉が提供される。
さらに、本発明によれば、被処理物を収容しインナーケース蓋（３）によって開閉されるインナーケース（４）と、前記インナーケースを内部に収容し断熱壁（２）で構成される収納体と、前記収納体を開閉する断熱蓋（１）とを炉体（６）内に有する熱処理炉であって、
断熱蓋とインナーケース蓋を一体で開閉する蓋開閉機構（１０）を備え、
該蓋開閉機構（１０）は、前記炉体に固定され、前記収納体を閉じる方向および開く方向に前記断熱蓋を移動させ、前記収納体に対し断熱蓋（１）を開閉する蓋開閉用シリンダ（５）を有し、
前記蓋開閉用シリンダは、前記断熱蓋に対し相対移動不可能に前記断熱蓋の外面に連結された先端部を有し、
インナーケース蓋が断熱蓋と相対的に動きうるように伸縮可能なスプリング（１２）を介して取り付けられており、
前記断熱蓋を貫通してその一端が前記インナーケース蓋に連結された蓋押しロッド（１４）が設けられ、
前記スプリング（１２）は、前記蓋押しロッド（１４）の他端と前記先端部との間に位置し、前記収納体が前記断熱蓋で閉じられた状態で、前記他端と該先端部とに挟まれて圧縮されこれらを互いに離間する方向に付勢し、
前記断熱蓋における前記インナーケース蓋との対向面には、支持リングが取り付けられており、
該支持リングは、前記対向面から前記断熱蓋の厚み方向に前記インナーケース蓋側に向かって延びることで該厚み方向の厚みを有し、かつ周方向に延びて１周するリング形状を有し、
前記インナーケース蓋における前記断熱蓋との対向面には、突出部が設けられており、
該突出部は、インナーケース蓋の前記対向面から前記インナーケース蓋の厚み方向に前記断熱蓋に向かって突出しているとともに、インナーケース蓋の断熱蓋に対する相対移動をガイドし前記インナーケース蓋の重量が前記支持リングに支持されるように前記支持リングと係合する、ことを特徴とするインナーケース付き熱処理炉が提供される。
また、本発明によれば、被処理物を収容しインナーケース蓋（３）によって開閉されるインナーケース（４）と、前記インナーケースを内部に収容し断熱壁（２）で構成される収納体と、前記収納体を開閉する断熱蓋（１）とを炉体（６）内に有する熱処理炉であって、
断熱蓋とインナーケース蓋を一体で開閉する蓋開閉機構（１０）を備え、
インナーケース蓋が断熱蓋と相対的に動きうるように伸縮可能なスプリング（１２）を介して取り付けられており、
前記断熱蓋は前記インナーケース蓋に対向する対向面を有し、前記インナーケース蓋は前記断熱蓋に対向する対向面を有し、
前記スプリング（１２）は、インナーケース蓋の前記対向面と断熱蓋の前記対向面との間に位置し、前記収納体が前記断熱蓋で閉じられた状態で、断熱蓋とインナーケース蓋とをこれらを互いに離間する方向に付勢し、
前記断熱蓋の前記対向面には、支持リングが取り付けられており、
該支持リングは、前記断熱蓋の前記対向面から前記断熱蓋の厚み方向に前記インナーケース蓋側に向かって延びることで該厚み方向の厚みを有し、かつ周方向に延びて１周するリング形状を有し、
前記インナーケース蓋の前記対向面には、突出部が設けられており、
該突出部は、インナーケース蓋の前記対向面から前記インナーケース蓋の厚み方向に前記断熱蓋に向かって突出しているとともに、インナーケース蓋の断熱蓋に対する相対移動をガイドし前記インナーケース蓋の重量が前記支持リングに支持されるように前記支持リングと係合する、ことを特徴とするインナーケース付き熱処理炉が提供される。
また、前記突出部は、前記支持リングの外周面と対向する内側面を有し、該内側面が前記外周面に接触することで、前記突出部は前記支持リングと係合してよい。
【０００８】
上記本発明の構成によれば、インナーケース蓋（３）が断熱蓋（２）と相対的に動きうるように伸縮可能なスプリング（１２）を介して取り付けられているので、断熱壁とインナーケースの製作時の寸法誤差、加熱時の熱膨張により寸法変化があっても、スプリングが伸縮することで両方の蓋の密着性が確保される。また、断熱蓋とインナーケース蓋を一体で開閉する蓋開閉機構（１０）を備えるので、断熱蓋とインナーケース蓋を一体で開閉でき、駆動機構は１組でよく構造が簡単となる。
【０００９】
本発明の好ましい実施形態によれば、前記スプリング（１２）は、Ｃ／Ｃコンポジット材またはカーボン材からなり、該スプリングを介して前記インナーケース蓋は断熱蓋の内面に取り付けられ、断熱蓋の外面が前記蓋開閉機構により駆動される。
スプリング（１２）の材質に、Ｃ／Ｃコンポジット材またはカーボン材を適用することにより、炉内の１０００℃〜２０００℃の高温に耐えることができ、損傷を低減し信頼性を高めることができる。また、このスプリングを介してインナーケース蓋を断熱蓋の内面に取り付け、断熱蓋の外面を蓋開閉機構（１０）により駆動することにより、蓋開閉機構（１０）が炉内の高温に曝されるおそれがなく、その損傷を低減し信頼性を高めることができる。
【００１０】
【発明の実施の形態】
以下本発明の実施形態について、図面を参照して説明する。なお、各図において共通する部分には同一の符号を付し、重複した説明を省略する。
図１は、本発明のインナーケース付き熱処理炉の第１実施形態を示す全体構成図であり、図２は、図１の主要部の拡大図である。
図１及び図２に示すように、本発明のインナーケース付き熱処理炉は、断熱蓋１によって開閉される断熱壁２と、断熱壁２内に設けられ被処理物を収容しインナーケース蓋３によって開閉されるインナーケース４とを炉体６内に有している。炉体は胴部と蓋部とからなり、その間はシールリング７で気密にシールされる。
【００１１】
前述したようにインナーケース４は、処理材の熱処理中に発生する蒸気、ガス成分が炉材に付着、吸収することを防止する目的で設けられている。また、発生ガスが炉外に排出されるように、図１に示すように炉外へのガス排出管６ｂがインナーケース４に設けられている。また、炉外から炉体容器６に設けたガス供給管６ａにより、インナーケース４の外側に、キャリヤガスが供給される。インナーケース４とインナーケース蓋３は互いの接触または嵌まり込みにより、気密または微少なガス通路を形成するので、インナーケースの外側に供給されたガスとインナーケース内からの排気機構により、インナーケース内外に差圧が生じ、インナーケース４の内側から外側へのガス漏れが防止される。処理材からの発生ガス分の排出は真空ポンプによるものと、キャリヤガスの連続供給により炉内圧力を大気圧より高くして、排出管より大気に押し出す方式の２通りがある。
【００１２】
インナーケース付き熱処理炉は、以下のように使用される。
１．粉末合金の焼結では、処理材の成形時に有機バインダやワックスなどを合金粉末と加熱混合し、プレス成形や射出成形により原料を成形するが、焼結工程中にバインダがあると焼結できないので、通常、焼結の前に４００〜８００℃に加熱し、有機バインダやワックスなどをガス化させ、脱バインダーする。このときに発生ガスが炉材に付着すると、ヒータ絶縁材の絶縁劣化、炉内汚染、炉材がバインダと反応し消耗するなどの不具合がある。また、脱バインダーの後に引き続き加熱し、１０００℃以上の高温で焼結処理をするが、炉内の温度の低いところに付着していたバインダ成分が高温とすることにより再びガス化して、処理品と反応し、焼結品質の劣化を生じる問題も起こる。
２．ファインセラミックスでは、有機バインダによる成形があり、脱バインダ処理が必要なことは上記１と同じである。
焼結助剤として原料に添加した成分には酸化物などが含まれ、１５００〜２０００℃以上の高温で焼結をすると、ヒータや炉材の酸化消耗を引き起こす場合があり、これらの保護のためにインナーケース付き熱処理炉が使用される。
３．カーボン材の炭化、黒鉛化、高純化などの熱処理炉では、反応性ガスをインナーケース内に封じ込め、インナーケース外は不活性ガス雰囲気として炉材の保護をする用途があり、インナーケースと雰囲気コントロール機構付きとする場合がある。
【００１３】
上述したインナーケース付き熱処理炉において、本発明の熱処理炉は、断熱蓋１とインナーケース蓋３を一体で開閉する蓋開閉機構１０を備える。この蓋開閉機構１０は、スプリング１２を介して内面にインナーケース蓋３を取り付けた断熱蓋１と、この断熱蓋の外面を駆動して開閉する蓋開閉用シリンダ５とからなる。すなわち、インナーケース蓋３は断熱蓋１と相対的に動きうるように伸縮可能なスプリング１２を介して断熱蓋１に取り付けられている。
【００１４】
図１及び図２では、スプリング１２を断熱壁１の内側に設けている。スプリング１２は炉内の１０００℃〜２０００℃超の高温に耐えられるカーボン材、すなわち、Ｃ／Ｃコンポジット材、またはグラファイト材とするのがよい。また、この例では、インナーケース蓋３の重量は断熱壁２に固定した支持リング１３で支持され、かつ、この支持リング１３はインナーケース蓋３がスプリング１２で押されて動く際のガイドとなるように構成されている。この支持リング１３も、炉内の高温に耐えるようにカーボン材からなるのがよい。
【００１５】
図３は、本発明の第２実施形態を示す図２と同様の図である。この第２実施形態は、スプリング１２を断熱壁１の外側に設けた構造である。駆動シリンダ５の先端部が断熱蓋１の外面に取り付けられて断熱蓋１を直接駆動し、駆動シリンダ５の先端部で圧縮されたスプリング１２が蓋押しロッド１４を介してインナーケース蓋３を押す。すなわちインナーケース蓋３にスプリング１２の圧縮力を伝え、可動する蓋押しロッド１４が断熱蓋１を貫通する構造となる。またインナーケース蓋３の重量の支持は断熱蓋１の貫通部の軸受部１５が受け持つようになっている。この構成により、スプリング１２の温度が断熱壁１により高温とならないので、耐熱金属材料でスプリングを製作可能である。
【００１６】
図４は、本発明の第３実施形態を示す図２と同様の図である。この第３実施形態は、スプリングを断熱壁の外側に設ける構造である。駆動シリンダ５が炉体容器の中心でなく、偏心位置にあり、インナーケース蓋３の支持リング１３がある。
【００１７】
上述した本発明の構成によれば、インナーケース蓋３が断熱蓋２と相対的に動きうるように伸縮可能なスプリング１２を介して取り付けられているので、断熱壁とインナーケースの製作時の寸法誤差、加熱時の熱膨張により寸法変化があっても、スプリングが伸縮することで両方の蓋の密着性が確保される。また、断熱蓋とインナーケース蓋を一体で開閉する蓋開閉機構１０を備えるので、断熱蓋とインナーケース蓋を一体で開閉でき、駆動機構は１組でよく構造が簡単となる。更に、断熱蓋２とインナーケース蓋３はスプリング１２を介して取り付けられるため、密着面の傾きの違いも吸収できる。
【００１８】
なお、本発明は上述した実施形態に限定されず、本発明の要旨を逸脱しない範囲で種々に変更が可能である。例えば、駆動シリンダがインナーケース蓋を直接押し、スプリングが断熱蓋を押す構造であってもよい。
【００１９】
【発明の効果】
上述したように、本発明のインナーケース付き熱処理炉は、断熱壁とインナーケースの製作時の寸法誤差や、加熱時の熱膨張による寸法変化があっても、インナーケース蓋と断熱蓋がそれぞれインナーケースと断熱壁の端面に常に密着することができ、かつ余分な開閉機構を必要とせず、高温に曝されて損傷しやすい部品がなく、信頼性が高い、等の優れた効果を有する。
【図面の簡単な説明】
【図１】本発明のインナーケース付き熱処理炉の第１実施形態を示す全体構成図である。
【図２】図１の主要部の拡大図である。
【図３】本発明の第２実施形態を示す図２と同様の図である。
【図４】本発明の第３実施形態を示す図２と同様の図である。
【図５】従来のインナーケース付き熱処理炉を示す図である。
【符号の説明】
１  断熱蓋
２  断熱壁
３  インナーケース蓋
４  インナーケース
５  蓋開閉用シリンダ
１０  蓋開閉機構
１２  スプリング
１３  支持リング
１４  蓋押しロッド
１５  軸受部
【図１】
0004274446.tif 000002
【図２】
0004274446.tif 000003
【図３】
0004274446.tif 000004
【図４】
0004274446.tif 000005
【図５】
0004274446.tif 000006